(57)【要約】【課題】本発明は、簡単な構造で、チャンネルベース１を固定する際にかかる負荷により変形してしまうことを防止し、安定して設置できるチャンネルベース１を提供することを目的としている。【解決手段】本発明に係るチャンネルベースは、チャンネルベース１の底面３は側面端部に折曲して中抜きに形成され、底面３の上にアンカーボルト取り付け穴６を有すると共に略Ｌ字状に形成されたアンカー金具５を載置し、チャンネルベース１を設置する地面２より底面３の板厚分浮いたところでアンカーボルト４でアンカー金具５を固定することを特徴とする。【選択図】        図１
2004180462.tif 000002
【特許請求の範囲】
【請求項１】
各種機器を収納したボックスを支持するチャンネルベースの固定構造において、該チャンネルベースの底面は側面端部を折曲し中抜きに形成され、前記底面の上にアンカーボルト取り付け穴を有すると共に略Ｌ字状に形成したアンカー金具を載置し、前記チャンネルベースを設置する地面より底面の板厚分浮いたところでアンカーボルトで前記アンカー金具を固定することを特徴とするチャンネルベースの固定構造。
【請求項２】
前記チャンネルベースの固定構造において、前記アンカー金具は、前記チャンネルベースの側面に当接させないで隙間を設け固定することを特徴とする請求項１に記載のチャンネルベースの固定構造。
【発明の詳細な説明】
【０００１】
【発明の属する技術分野】
本発明は、各種機器を収納したボックスを支持するチャンネルベースの固定構造に関する。
【０００２】
【従来の技術】
従来技術におけるチャンネルベースの固定構造は、特開平１１−１５０３７６号に示されるようなものがあった。図４〜図６に示すように、チャンネルベース３１の中抜きに形成された底面３２にアンカーボルト取り付け用の穴３３を開口していた。穴３３にアンカーボルト３４を挿通し、チャンネルベース３１をアンカーボルト３４で直接固定していた。
【０００３】
【発明が解決しようとする課題】
しかしながら、上記従来技術によれば、アンカーボルト３４がチャンネルベース３１の底面３２を直接固定するためボックスの重量や風圧や振動等により負荷がかかり、底面３２が撓む虞があった。撓んだ場合、チャンネルベース３１が変形してしまい、チャンネルベース３１の上に設置されるボックスもがたつく虞があった。
【０００４】
【課題を解決するための手段】
そこで本発明は、簡単な構造で、チャンネルベースを固定する際にかかる負荷により変形してしまうことを防止し、安定して設置できるチャンネルベースを提供することを目的とし、その構造は、チャンネルベースの底面は側面端部に折曲して中抜きに形成され、底面の上にアンカーボルト取り付け穴を有すると共に略Ｌ字状に形成されたアンカー金具を載置し、チャンネルベースを設置する地面より底面の板厚分浮いたところでアンカーボルトでアンカー金具を固定することを特徴とする。
【０００５】
また、アンカー金具は、チャンネルベースの側面に当接させないで隙間を設け固定することを特徴とする。
【０００６】
【発明の実施の形態】
本発明に係るチャンネルベースの固定構造は、チャンネルベースの底面は、側面端部を折曲形成する。底面にアンカー金具を載せ、底面の板厚分を浮かせた状態でアンカー金具に設けられたアンカーボルト取り付け穴にアンカーボルトを挿通し、チャンネルベースを固定する。
【０００７】
また、アンカー金具の取り付け位置をチャンネルベースの側面に当接させないで隙間を設ける。アンカーボルトをアンカー金具に挿通し、アンカー金具が撓んだとしてもチャンネルベースには影響がない。
【０００８】
【実施例】
本発明に係るチャンネルベースの固定構造の実施例を図１〜図２の添付図面に基づいて説明する。
【０００９】
チャンネルベース１は、地面２に設置し、各種機器を収納したボックス等を支持するために用いられる。本発明に係るチャンネルベース１の底面３は、側面端部を折曲して中抜きに形成される。チャンネルベース１の設置は、アンカーボルト４によりアンカー金具５を介して固定される。
【００１０】
アンカー金具５は断面略Ｌ字状に折曲形成され、底面側折曲部５ａにアンカーボルト取り付け穴６を設ける。アンカー金具５を底面３に重ね置き、地面２より底面３の板厚分浮いた状態で、アンカーボルト取り付け穴６にアンカーボルト４を挿通し地面にさして、チャンネルベース１を固定する。
【００１１】
アンカーボルト４でアンカー金具５を強く押さえつけた場合や、風圧や振動などにより負荷がかかった場合に、アンカー金具５が撓むことはあっても、チャンネルベース１が撓んだり、ゆがんだりすることはく、安定してチャンネルベース１を設置することができる。
【００１２】
また、本発明の請求項２に係るチャンネルベースの固定構造は、アンカー金具５をチャンネルベース１の底面３に重ね置く時に、側面側折曲部５ｂをチャンネルベース１の側面１ａに当接せさないで、隙間を設ける。アンカー金具５のアンカーボルト取り付け穴６にアンカーボルト４を挿通し地面にさして、チャンネルベース１を固定する。
【００１３】
アンカーボルト４でアンカー金具５を強く押さえつけた場合や、風圧や振動などにより負荷がかかった場合に、アンカー金具５の側面が撓むことはあっても、チャンネルベース１が撓んだり、ゆがんだりすることはなく、安定してチャンネルベース１を設置することができる。
【００１４】
また、本発明に係るチャンネルベースの固定構造は、図１に示すようにチャンネルベース１の短手辺側にアンカー金具５を置く構造に限定されるものではなく、図３に示すように、逆にチャンネルベース７の長手辺にアンカー金具８を置いてアンカーボルトで固定しても良く、本発明の趣旨を逸脱しない範囲において適宜変更可能である。
【００１５】
【発明の効果】
以上述べたように、本発明に係るチャンネルベースの固定構造は、チャンネルベースの底面は側面端部に折曲部して中抜きに形成され、底面の上にアンカーボルト取り付け穴を有すると共に略Ｌ字状に形成されたアンカー金具を載置し、チャンネルベースを設置する地面より底面の板厚分浮いたところでアンカーボルトでアンカー金具を固定するため、風圧や振動などでチャンネルベースに負荷がかかってもチャンネルベースにはたわみなどの影響を及ぼさず、チャンネルベースを安定して設置することができる。
【００１６】
また、アンカー金具は、チャンネルベースの側面に当接させないで隙間を設け固定するため、風圧や振動などでチャンネルベースに負荷がかかってもチャンネルベースにはたわみなどの影響を及ぼさず、チャンネルベースを安定して設置することができる。
【図面の簡単な説明】
【図１】本発明に係るチャンネルベースの固定構造を示す斜視図である。
【図２】本発明に係るチャンネルベースの固定構造を示す断面図である。
【図３】本発明に係るチャンネルベースの固定構造の変形実施例を示す斜視図である。
【図４】従来技術におけるチャンネルベースの固定構造を示す斜視図である。
【図５】従来技術におけるチャンネルベースの固定構造を示す斜視図である。
【図６】従来技術におけるチャンネルベースの固定構造を示す断面図である。
【符号の説明】
１      チャンネルベース
１ａ    側面
２      地面
３      底面
４      アンカーボルト
５      アンカー金具
６      アンカーボルト取り付け穴
７      チャンネルベース
８      アンカー金具
【図１】
2004180462.tif 000003
【図２】
2004180462.tif 000004
【図３】
2004180462.tif 000005
【図４】
2004180462.tif 000006
【図５】
2004180462.tif 000007
【図６】
2004180462.tif 000008